(57)【特許請求の範囲】
【請求項１】
浴室や脱衣所等のサニタリー空間の天井パネルの上面側に設置される循環部本体と、
前記循環部本体の下面に備えられ、該循環部本体の下面の大きさより小型に構成される循環吸込口と、
前記循環部本体の下面に備えられ、該循環部本体の下面の大きさより小型に構成される循環吹出口と、
前記循環吸込口から空気を吸い込み、吸い込んだ空気を前記循環吹出口から吹き出す循環送風手段と、
前記浴室や脱衣所等のサニタリー空間の天井パネルの上面側に設置される換気部本体と、
前記換気部本体の下面に設けられ、前記換気部本体の下面の大きさより小型に構成される換気吸込口と、
前記換気吸込口から空気を吸い込み、吸い込んだ空気を屋外へ吹き出す換気送風手段とを備え、
前記天井パネルの前記循環部本体が設置される位置に、前記循環吸込口と前記循環吹出口は露出し、前記循環部本体の全体は非露出とした大きさの取付開口部が形成されて、前記循環部本体が設置され、
前記天井パネルの前記換気部本体が設置される位置に、前記換気吸込口が露出し、前記換気部本体の全体は非露出とした大きさの取付開口部が形成されて、前記換気部本体が設置される空調装置であって、
前記循環吸込口と前記循環吹出口と前記換気吸込口は、空気が通るグリル部材がそれぞれ独立して構成され、
前記循環吸込口と前記循環吹出口と前記換気吸込口は、横方向の長さが縦方向の長さより長く、かつ、前記短手方向の長さが略同等に構成されて、長手方向に一列状に配置される
ことを特徴とする空調装置。
【請求項２】
前記換気吸込口と前記循環吸込口及び前記循環吹出口は、前記天井パネルと略同一面に構成される
ことを特徴とする請求項１に記載の空調装置。
【請求項３】
前記換気部本体は、
前記循環部本体と独立して前記浴室や脱衣所等のサニタリー空間の天井パネルの上面側に設置されることを特徴とする請求項１又は２に記載の空調装置。
【請求項４】
前記換気部本体は、
前記循環部本体の上部に設置され、前記換気吸込口とダクトを介して接続される
ことを特徴とする請求項１乃至３に何れか記載の空調装置。  
【発明の詳細な説明】
【技術分野】
【０００１】
本発明は、浴室や脱衣所等のサニタリー空間に設置され、浴室や脱衣所等のサニタリー空間内の暖房等を行う空調装置に関する。詳しくは、空気の吸込口及び吹出口の小型化を図り、室内で目立たないようにしたものである。
【背景技術】
【０００２】
従来より、浴室に温風を送出して暖房を行ったり、洗濯物の乾燥や換気を行う機能を備えた浴室用の空調装置が提供されている。このような浴室空調装置は、空気の吸込口や吹出口を有するフロントパネルが下面に備えられ、浴室の天井からフロントパネルが露出する形態で取り付けられる（例えば、特許文献１参照）。
【０００３】
【特許文献１】特開２００３−２９４２８９号公報
【発明の開示】
【発明が解決しようとする課題】
【０００４】
しかし、従来の浴室空調装置では、フロントパネルのサイズが大きいので、室内の外観を損なうという問題があった。すなわち、フロントパネルは、４５０ｍｍ×３５０ｍｍ程度の大きさがあるので、浴室の天井では相当の面積を専有することになり、外観を損なってしまうおそれがあった。
【０００５】
本発明は、このような課題を解決するためになされたもので、浴室や脱衣所等のサニタリー空間の外観を損なうことなく設置可能な空調装置を提供することを目的とする。
【課題を解決するための手段】
【０００６】
上述した課題を解決するため、本発明に係る空調装置は、浴室や脱衣所等のサニタリー空間の天井パネルの上面側に設置される循環部本体と、循環部本体の下面に備えられ、循環部本体の下面の大きさより小型に構成される循環吸込口と、循環部本体の下面に備えられ、循環部本体の下面の大きさより小型に構成される循環吹出口と、循環吸込口から空気を吸い込み、吸い込んだ空気を循環吹出口から吹き出す循環送風手段と、浴室や脱衣所等のサニタリー空間の天井パネルの上面側に設置される換気部本体と、換気部本体の下面に設けられ、換気部本体の下面の大きさより小型に構成される換気吸込口と、換気吸込口から空気を吸い込み、吸い込んだ空気を屋外へ吹き出す換気送風手段とを備え、天井パネルの循環部本体が設置される位置に、循環吸込口と循環吹出口は露出し、循環部本体の全体は非露出とした大きさの取付開口部が形成されて、循環部本体が設置され、天井パネルの換気部本体が設置される位置に、換気吸込口が露出し、換気部本体の全体は非露出とした大きさの取付開口部が形成されて、換気部本体が設置される空調装置であって、循環吸込口と循環吹出口と換気吸込口は、空気が通るグリル部材がそれぞれ独立して構成され、循環吸込口と循環吹出口と換気吸込口は、横方向の長さが縦方向の長さより長く、かつ、短手方向の長さが略同等に構成されて、長手方向に一列状に配置されることを特徴とする。
【０００７】
本発明の空調装置では、浴室や脱衣所等のサニタリー空間の天井パネルに設置された循環吸込口から浴室や脱衣所等のサニタリー空間の空気を吸い込み、温風又は送風を循環吹出口から浴室や脱衣所等のサニタリー空間内に吹き出すことで、浴室や脱衣所等のサニタリー空間に対する暖房運転を行う。
【発明の効果】
【０００８】
本発明の空調装置によれば、循環吹出口と循環吸込口が循環部本体より小型に構成され、天井パネルの循環部本体が設置される位置に、循環吸込口と循環吹出口が露出され、循環部本体は、その全体が非露出とした大きさに形成された取付開口部に設置され、しかも、換気吸込口が換気部本体の下面の大きさより小型に構成され、天井パネルの換気部本体が設置される位置に、換気吸込口が露出され、換気部本体は、その全体が非露出とした大きさに形成された取付開口部に設置され、循環部本体の下面の循環吸込口及び循環吹出口と、換気部本体の下面の換気吸込口は、空気が通るグリル部材がそれぞれ独立して構成され、この循環吸込口と循環吹出口と換気吸込口は、横方向の長さが縦方向の長さより長く、かつ、短手方向の長さが略同等に構成されて、長手方向に一列状に配置されたものである。
この構成によって、循環部本体及び換気部本体が室内の天井パネルに露出する部分の面積を小さくすることができる。これにより、室内の外観性を損なうことなく、循環部本体及び換気部本体を有する空調装置を設置することができる。
【発明を実施するための最良の形態】
【０００９】
以下、図面を参照して本発明の空調装置としての浴室空調装置の実施の形態について説明する。
【００１０】
＜第１の実施の形態の浴室空調装置の構成例＞
図１は第１の実施の形態の浴室空調装置の一例を示す構成図で、図１（ａ）は、第１の実施の形態の浴室空調装置１Ａを備えた浴室５１の天井パネル５２を下面から見た平面図である。また、図１（ｂ）は、浴室空調装置１Ａを備えた浴室５１の天井部分を矢印Ａ方向から見た側面図、図１（ｃ）は浴室５１の天井部分を矢印Ｂ方向から見た側面図である。
【００１１】
第１の実施の形態の浴室空調装置１Ａは、循環ユニット２Ａと換気ユニット３Ａを備える。循環ユニット２Ａと換気ユニット３Ａは独立した構成で、それぞれ浴室５１の天井パネル５２の上面に設置される。
【００１２】
循環ユニット２Ａは循環部本体の一例で、浴室５１の空気を吸い込む循環吸込グリル４Ａと、浴室５１に空気を吹き出す循環吹出グリル５を、下面に並列して備える。循環吸込グリル４Ａは循環吸込口の一例で、循環吹出グリル５は循環吹出口の一例であり、循環吸込グリル４Ａと循環吹出グリル５は、循環吸込グリル４Ａと循環吹出グリル５の並ぶ方向に沿った横方向の長さが、縦方向の長さより長い細長い形態の長方形で、本例ではそれぞれが独立した部材で構成される。
【００１３】
循環吸込グリル４Ａと循環吹出グリル５のサイズは、それぞれ循環ユニット２Ａの下面のサイズより小型に構成される。また、循環吸込グリル４Ａと循環吹出グリル５の縦方向（短手方向）の長さは同じ長さに構成される。そして、循環吸込グリル４Ａと循環吹出グリル５は、横方向（長手方向）に一列に並ぶ配置となるように構成される。
【００１４】
循環ユニット２Ａは、浴室５１の天井パネル５２に形成された循環吸込グリル取付開口部５３ａから、循環吸込グリル４Ａを浴室５１側へ露出させ、循環吹出グリル取付開口部５３ｂから、循環吹出グリル５を浴室５１側へ露出させる形態で、浴室５１の天井パネル５２上に設置される。
【００１５】
換気ユニット３Ａは換気部本体の一例で、浴室５１の空気を吸い込む換気吸込グリル６Ａを下面に備える。換気吸込グリル６Ａは換気吸込口の一例で、横方向の長さが、縦方向の長さより長い細長い形態の長方形で、換気吸込グリル６Ａのサイズは、換気ユニット３Ａの下面のサイズより小型に構成される。また、換気吸込グリル６Ａの縦方向（短手方向）の長さは、循環吸込グリル４Ａ及び循環吹出グリル５の短手方向の長さと同じに構成される。
【００１６】
換気ユニット３Ａは、浴室５１の天井パネル５２に形成された換気吸込グリル取付開口部５４ａから、換気吸込グリル６Ａを浴室５１側へ露出させる形態で、浴室５１の天井パネル５２上に設置される。
【００１７】
＜循環ユニットの構成例＞
図２は循環ユニット２Ａの内部構成の一例を示す断面図で、次に、第１の実施の形態の浴室空調装置１Ａにおける循環ユニット２Ａの構成の詳細について説明する。なお、図２における切断面は、循環吸込グリル４Ａと循環吹出グリル５の並び方向に沿った面である。
【００１８】
循環ユニット２Ａは、循環ファンモータ７Ａにより回転駆動され、空気を吸い込んで吹き出すファン８と、回転駆動されるファン８により吸い込まれて吹き出す空気の風路を形成する循環ファンケース９Ａを備える。
【００１９】
循環ファンモータ７Ａとファン８と循環ファンケース９Ａは循環送風手段の一例で、循環ファンモータ７Ａは、多翼の羽根車で構成されるファン８の回転軸が垂直方向となる向きで、循環ファンケース９Ａに取り付けられる。
【００２０】
循環ファンケース９Ａは、循環ユニット２Ａの外形を構成する本体ケース１０Ａに取り付けられ、ファン８の軸方向に沿った下面を開口して循環吸込口１１ａが形成されると共に、ファン８の接線方向に沿った空気の吹出風路と連通した下面を開口して循環吹出口１１ｂが形成される。
【００２１】
そして、循環ファンケース９Ａは、循環吸込口１１ａの下部に、循環吸込口１１ａと連通し、循環吸込グリル４Ａが取り付けられる循環吸込グリル取付部１２ａを備える。
【００２２】
また、循環ファンケース９Ａは、循環吹出口１１ｂの下部に、循環吹出口１１ｂと連通し、循環吹出グリル５が取り付けられる循環吹出グリル取付部１２ｂを備える。
【００２３】
循環吸込グリル取付部１２ａと循環吹出グリル取付部１２ｂは、循環吸込グリル４Ａと循環吹出グリル５が一列に並んで取り付けられるように、設置位置等が設定されている。
【００２４】
循環ユニット２Ａは、循環ファンケース９Ａの循環吹出口１１ｂにヒータ１３を備える。ヒータ１３は例えばＰＴＣヒータ等で構成され、ヒータ１３に通電されてヒータ１３が加熱されると、循環吹出口１１ｂを通る空気が加熱され、温風が吹き出すようになっている。
【００２５】
＜換気ユニットの構成例＞
図３は換気ユニット３Ａの内部構成の一例を示す断面図で、次に、第１の実施の形態の浴室空調装置１Ａにおける換気ユニット３Ａの構成の詳細について説明する。なお、図３における切断面は、換気吸込グリル６Ａの短手方向に沿った面である。
【００２６】
換気ユニット３Ａは、換気ファンモータ１４により回転駆動され、空気を吸い込んで吹き出すファン１５と、回転駆動されるファン１５により吸い込まれて吹き出す空気の風路を形成する換気ファンケース１６Ａを備える。
【００２７】
換気ファンモータ１４とファン１５と換気ファンケース１６Ａは換気送風手段の一例で、換気ファンモータ１４は、多翼の羽根車で構成されるファン１５の回転軸が垂直方向となる向きで、換気ファンケース１６Ａに取り付けられる。
【００２８】
換気ファンケース１６Ａは、換気ユニット３Ａの外形を構成する本体ケース１７に取り付けられ、ファン１５の軸方向に沿った下面を開口して換気吸込口１８ａが形成されると共に、ファン１５の接線方向に沿った空気の吹出風路と連通して換気吹出口１８ｂが形成される。
【００２９】
そして、換気ファンケース１６Ａは、換気吸込口１８ａの下部に、換気吸込口１８ａと連通し、換気吸込グリル６Ａが取り付けられる換気吸込グリル取付部１９を備える。
【００３０】
また、本体ケース１７は、換気ファンケース１６Ａの換気吹出口１８ｂと対向した一の側面に、換気吹出口１８ｂと連通した換気ダクト取付部２０を備える。
【００３１】
＜第１の実施の形態の浴室空調装置の設置例＞
次に、図１等を参照して浴室空調装置１Ａの設置例について説明する。浴室５１の天井パネル５２には、循環ユニット２Ａの循環吸込グリル取付部１２ａと循環吹出グリル取付部１２ｂの位置に合わせて、循環吸込グリル取付開口部５３ａと循環吹出グリル取付開口部５３ｂが開けられる。
【００３２】
循環吸込グリル取付開口部５３ａと循環吹出グリル取付開口部５３ｂは、一列に並んで配置され、循環吸込グリル取付開口部５３ａは、循環吸込グリル４Ａの形状に合わせて細長い形態の長方形で、循環吹出グリル取付開口部５３ｂは、循環吹出グリル５の形状に合わせて細長い形態の長方形である。
【００３３】
そして、循環吸込グリル取付開口部５３ａと循環吹出グリル取付開口部５３ｂは、それぞれ循環ユニット２Ａの下面のサイズより小さい開口である。
【００３４】
循環ユニット２Ａは、循環吸込グリル取付部１２ａが天井パネル５２の循環吸込グリル取付開口部５３ａに対向し、循環吹出グリル取付部１２ｂが天井パネル５２の循環吹出グリル取付開口部５３ｂに対向するように、例えば、天井パネル５２の上面に設置された図示しない枠体に固定される。
【００３５】
そして、循環吸込グリル取付部１２ａに循環吸込グリル４Ａが取り付けられ、循環吹出グリル取付部１２ｂに循環吹出グリル５が取り付けられる。これにより、循環ユニット２Ａは、浴室５１の天井パネル５２に形成された循環吸込グリル取付開口部５３ａから循環吸込グリル４Ａを浴室５１側へ露出させ、循環吹出グリル取付開口部５３ｂから循環吹出グリル５を浴室５１側へ露出させる形態で、浴室５１の天井パネル５２上に設置される。
【００３６】
浴室５１の天井パネル５２には、換気ユニット３Ａの換気吸込グリル取付部１９の位置にあわせて換気吸込グリル取付開口部５４ａが開けられる。換気吸込グリル取付開口部５４ａは、循環吸込グリル取付開口部５３ａ及び循環吹出グリル取付開口部５３ｂと一列に並ぶ位置に配置され、換気吸込グリル取付開口部５４ａは、換気吸込グリル６Ａの形状に合わせて細長い形態の長方形である。
【００３７】
換気ユニット３Ａは、換気吸込グリル取付部１９が天井パネル５２の換気吸込グリル取付開口部５４ａに対向するように、例えば、天井パネル５２の上面に設置された図示しない枠体に固定される。
【００３８】
そして、換気吸込グリル取付部１９に換気吸込グリル６Ａが取り付けられることで、換気ユニット３Ａは、浴室５１の天井パネル５２に形成された換気吸込グリル取付開口部５４ａから換気吸込グリル６Ａを浴室５１側へ露出させる形態で、浴室５１の天井パネル５２上に設置される。
【００３９】
これにより、循環ユニット２Ａの循環吸込グリル４Ａ及び循環吹出グリル５と、換気ユニット３Ａの換気吸込グリル６Ａは、浴室５１の天井パネル５２に一列に並んで配置される。ここで、循環吸込グリル４Ａ及び循環吹出グリル５と、換気吸込グリル６Ａが一列に並んで配置される状態とは、視覚的に一列に並んでいる状態を示し、互いの位置が多少ずれて配置されていても良い。
【００４０】
また、循環吸込グリル４Ａ、循環吹出グリル５及び換気吸込グリル６Ａは、それぞれ天井パネル５２に対して略同一面となるように取り付けられる。
【００４１】
なお、換気ユニット３Ａは、換気ダクト取付部２０に排気用ダクト５５が接続される。排気用ダクト５５は、浴室５１が設置される建物の屋外とつながり、換気ユニット３Ａで吸い込んだ浴室５１の空気を屋外へ排気可能な構成である。
【００４２】
＜第１の実施の形態の浴室空調装置の制御機能例＞
図４は第１の実施の形態の浴室空調装置１Ａの制御系の一例を示す機能ブロック図である。浴室空調装置１Ａは、ＣＰＵやメモリ等で構成される制御部３１に、循環ユニット２Ａの循環ファンモータ７Ａ及びヒータ１３と、換気ユニット３Ａの換気ファンモータ１４等が接続される。
【００４３】
制御部３１は、図示しないメモリ等に格納されたプログラムに従って、例えば暖房運転モード、換気運転モード、乾燥運転モード及び涼風運転モードを実行する。これら運転モードは、入浴者等の利用者が操作部３２を操作すること等により選択され、制御部３１は、選択された運転モードを実行するプログラムに従い循環ファンモータ７Ａ、換気ファンモータ１４及びヒータ１３等を制御する。
【００４４】
操作部３２は、浴室空調装置１Ａ本体と独立したリモートコントロール装置で、例えば浴室５１に隣接した図示しない洗面所の壁面等に取り付けられる。
【００４５】
＜第１の実施の形態の浴室空調装置の動作例＞
次に、第１の実施の形態の浴室空調装置１Ａの動作を各図を参照して説明する。浴室空調装置１Ａの制御部３１は、操作部３２における操作で暖房運転モードが選択されると、換気ユニット３Ａは停止させた状態で、循環ユニット２Ａを駆動制御する。
【００４６】
すなわち、循環ファンモータ７Ａを駆動してファン８を回転させると共に、ヒータ１３を駆動する。ファン８が回転すると、循環ファンケース９Ａの循環吸込口１１ａから空気が吸い込まれる。これにより、循環吸込グリル４Ａから浴室５１内の空気が循環ユニット２Ａに吸い込まれる。
【００４７】
循環ユニット２Ａに吸い込まれた空気は、循環ファンケース９Ａにより形成される吹出風路を通って循環吹出グリル５から浴室５１内に吹き出される。そして、ヒータ１３は循環吹出口１１ｂに配置されるので、ヒータ１３に通電されて加熱されると、循環吹出口１１ｂを通る空気が温められて循環吹出グリル５から吹き出す。
【００４８】
これにより、浴室５１内の空気を循環させながら浴室５１内を暖房して、温度を上げることができる。
【００４９】
浴室空調装置１Ａの制御部３１は、操作部３２における操作で換気運転モードが選択されると、循環ユニット２Ａは停止させた状態で、換気ユニット３Ａを駆動制御する。
【００５０】
すなわち、換気ファンモータ１４を駆動してファン１５を回転させる。ファン１５が回転すると、換気ファンケース１６Ａの換気吸込口１８ａから空気が吸い込まれる。これにより、換気吸込グリル６Ａから浴室５１内の空気が換気ユニット３Ａに吸い込まれる。
【００５１】
換気ユニット３Ａに吸い込まれた空気は、換気吹出口１８ｂを通って排気用ダクト５５から屋外へ排出される。また、浴室５１内の空気が屋外に排出されることで、図示しない浴室ドア等に設けた空気取入口から、洗面所等の空気が吸い込まれる。
【００５２】
これにより、浴室５１内の湯気や湿気を排出して結露等を抑制し、カビの発生を抑えることができる。
【００５３】
浴室空調装置１Ａの制御部３１は、操作部３２における操作で乾燥運転モードが選択されると、循環ユニット２Ａ及び換気ユニット３Ａを駆動制御する。すなわち、循環ユニット２Ａでは、循環ファンモータ７Ａを駆動してファン８を回転させると共に、ヒータ１３を駆動する。
【００５４】
ファン８が回転すると、上述したように、循環吸込グリル４Ａから浴室５１内の空気が吸い込まれ、循環ユニット２Ａに吸い込まれた空気は、循環吹出グリル５から浴室５１内に吹き出される。そして、ヒータ１３が通電されて加熱されると、循環吹出口１１ｂを通る空気が温められて循環吹出グリル５から吹き出す。
【００５５】
換気ユニット３Ａでは、換気ファンモータ１４を駆動してファン１５を回転させる。ファン１５が回転すると、上述したように、換気吸込グリル６Ａから浴室５１内の空気が吸い込まれ、換気ユニット３Ａに吸い込まれた空気は、排気用ダクト５５から屋外へ排出される。また、浴室５１内の空気が屋外に排出されることで、図示しない浴室ドア等に設けた空気取入口から、洗面所等の空気が吸い込まれる。
【００５６】
これにより、浴室５１内に温風を吹き出して、図示しないランドリパイプに掛けられた洗濯物を乾燥させることができる。また、浴室５１内の空気の一部は屋外に排気されて換気が行われるので、湿気等を排出して、洗濯物の乾燥を促進することができる。
【００５７】
浴室空調装置１Ａの制御部３１は、操作部３２における操作で涼風運転モードが選択されると、循環ユニット２Ａ及び換気ユニット３Ａを駆動制御する。すなわち、循環ユニット２Ａでは、循環ファンモータ７Ａを駆動してファン８を回転させる。
【００５８】
ファン８が回転すると、上述したように、循環吸込グリル４Ａから浴室５１内の空気が吸い込まれ、循環ユニット２Ａに吸い込まれた空気は、循環吹出グリル５から浴室５１内に吹き出される。涼風運転モードでは、ヒータ１３に通電しないことで、浴室５１内の温度に応じた風が循環吹出グリル５から吹き出される。
【００５９】
換気ユニット３Ａでは、換気ファンモータ１４を駆動してファン１５を回転させる。ファン１５が回転すると、上述したように、換気吸込グリル６Ａから浴室５１内の空気が吸い込まれ、換気ユニット３Ａに吸い込まれた空気は、排気用ダクト５５から屋外へ排出される。また、浴室５１内の空気が屋外に排出されることで、図示しない浴室ドア等に設けた空気取入口から、洗面所等の空気が吸い込まれる。
【００６０】
これにより、浴室５１内に涼風を吹き出して、扇風機として利用することができる。また、浴室５１内の空気の一部は屋外に排気されて換気が行われるので、湿気等を排出することができる。
【００６１】
＜第１の実施の形態の浴室空調装置の効果＞
以上説明した第１の実施の形態の浴室空調装置１Ａでは、浴室５１の天井パネル５２には、循環ユニット２Ａ及び換気ユニット３Ａの本体部分は露出せず、循環吸込グリル４Ａと、循環吹出グリル５と、換気吸込グリル６Ａが露出する形態である。
【００６２】
これにより、浴室空調装置１Ａにおいて、浴室５１の天井パネル５２に露出する部分の面積を小さくすることができるので、浴室５１の外観性を損なうことなく、浴室空調装置１Ａを設置することができる。
【００６３】
また、循環吸込グリル４Ａ及び循環吹出グリル５と、換気吸込グリル６Ａを同じ幅として一列に配置することで、視覚的に目立たなくすることができる。更に、循環吸込グリル４Ａ及び循環吹出グリル５と、換気吸込グリル６Ａを、天井パネル５２から突出せずに同一面に配置することによっても、視覚的に目立たなくすることができる。
【００６４】
なお、第１の実施の形態の浴室空調装置１Ａでは、循環吸込グリル４Ａと循環吹出グリル５は独立した部材としたが、一体に構成しても良い。更に、換気吸込グリル６Ａも一体に構成しても良い。
【００６５】
また、第１の実施の形態の浴室空調装置１Ａでは、循環ユニット２Ａと換気ユニット３Ａを備える構成としたが、循環ユニット２Ａのみを備えて、暖房運転を行う構成としても良い。
【００６６】
＜第２の実施の形態の浴室空調装置の構成例＞
図５は第２の実施の形態の浴室空調装置の一例を示す構成図で、図５（ａ）は、第２の実施の形態の浴室空調装置１Ｂを備えた浴室５１の天井パネル５２を下面から見た平面図である。また、図５（ｂ）は、浴室空調装置１Ｂを備えた浴室５１の天井部分を矢印Ｃ方向から見た側面図、図５（ｃ）は浴室５１の天井部分を矢印Ｄ方向から見た側面図である。
【００６７】
第２の実施の形態の浴室空調装置１Ｂは、循環・換気ユニット２Ｂを備える。循環・換気ユニット２Ｂは循環部本体の一例で、浴室５１の空気を吸い込む循環・換気吸込グリル４Ｂと、浴室５１に空気を吹き出す循環吹出グリル５を、下面に並列して備える。
【００６８】
循環・換気吸込グリル４Ｂは循環吸込口の一例で、循環吹出グリル５は循環吹出口の一例であり、循環・換気吸込グリル４Ｂと循環吹出グリル５は、循環・換気吸込グリル４Ｂと循環吹出グリル５の並ぶ方向に沿った横方向の長さが、縦方向の長さより長い細長い形態の長方形で、本例ではそれぞれが独立した部材で構成される。
【００６９】
循環・換気吸込グリル４Ｂと循環吹出グリル５のサイズは、それぞれ循環・換気ユニット２Ｂの下面のサイズより小型に構成される。また、循環・換気吸込グリル４Ｂと循環吹出グリル５の縦方向（短手方向）の長さは同じ長さに構成される。そして、循環・換気吸込グリル４Ｂと循環吹出グリル５は、横方向（長手方向）に一列に並ぶ配置となるように構成される。
【００７０】
循環・換気ユニット２Ｂは、浴室５１の天井パネル５２に形成された循環・換気吸込グリル取付開口部５３ｃから、循環・換気吸込グリル４Ｂを浴室５１側へ露出させ、循環吹出グリル取付開口部５３ｂから、循環吹出グリル５を浴室５１側へ露出させる形態で、浴室５１の天井パネル５２上に設置される。
【００７１】
＜循環・換気ユニットの構成例＞
図６は循環・換気ユニット２Ｂの内部構成の一例を示す断面図で、次に、第２の実施の形態の浴室空調装置１Ｂにおける循環・換気ユニット２Ｂの構成の詳細について説明する。なお、図６（ａ）における切断面は、循環・換気吸込グリル４Ｂと循環吹出グリル５の並び方向に沿った面であり、図６（ｂ）における切断面は、循環吹出グリル５の短手方向に沿った面である。
【００７２】
循環・換気ユニット２Ｂは、循環・換気ファンモータ７Ｂにより回転駆動され、空気を吸い込んで吹き出すファン８と、回転駆動されるファン８により吸い込まれて吹き出す空気の風路を形成する循環・換気ファンケース９Ｂを備える。
【００７３】
循環・換気ファンモータ７Ｂとファン８と循環・換気ファンケース９Ｂは循環送風手段の一例で、循環・換気ファンモータ７Ｂは、多翼の羽根車で構成されるファン８の回転軸が垂直方向となる向きで、循環・換気ファンケース９Ｂに取り付けられる。
【００７４】
循環・換気ファンケース９Ｂは、循環・換気ユニット２Ｂの外形を構成する本体ケース１０Ｂに取り付けられ、ファン８の軸方向に沿った下面を開口して循環・換気吸込口１１ｃが形成される。
【００７５】
また、循環・換気ファンケース９Ｂは、ファン８の接線方向に沿った空気の吹出風路と連通した下面を開口して循環吹出口１１ｂが形成される。更に、循環・換気ファンケース９Ｂは、ファン８の接線方向に沿った空気の吹出風路と連通した側面を開口して換気吹出口１８ｃが形成される。
【００７６】
そして、循環・換気ファンケース９Ｂは、循環・換気吸込口１１ｃの下部に、循環・換気吸込口１１ｃと連通し、循環・換気吸込グリル４Ｂが取り付けられる循環・換気吸込グリル取付部１２ｃを備える。
【００７７】
また、循環・換気ファンケース９Ｂは、循環吹出口１１ｂの下部に、循環吹出口１１ｂと連通し、循環吹出グリル５が取り付けられる循環吹出グリル取付部１２ｂを備える。
【００７８】
更に、本体ケース１０Ｂは、循環・換気ファンケース９Ｂの換気吹出口１８ｃと対向した一の側面に、換気吹出口１８ｃと連通した換気ダクト取付部２０を備える。
【００７９】
循環・換気吸込グリル取付部１２ｃと循環吹出グリル取付部１２ｂは、循環・換気吸込グリル４Ｂと循環吹出グリル５が一列に並んで取り付けられるように、設置位置等が設定されている。
【００８０】
循環・換気ユニット２Ｂは、循環・換気ファンケース９Ｂの循環吹出口１１ｂにヒータ１３を備える。ヒータ１３は例えばＰＴＣヒータ等で構成され、ヒータ１３に通電されてヒータ１３が加熱されると、循環吹出口１１ｂを通る空気が加熱され、温風が吹き出すようになっている。
【００８１】
循環・換気ユニット２Ｂは、循環吹出口１１ｂと換気吹出口１８ｃの間に、風路を切り替えるダンパ２１を備える。ダンパ２１は風路切替部材の一例で、ダンパモータ２２により軸２１ａを支点に回転して風路の切り替え動作を行う。
【００８２】
循環・換気ファンケース９Ｂ内には、ダンパ２１の位置によって、循環・換気吸込口１１ｃから循環吹出口１１ｂへ連通した循環風路２３ａか、換気吹出口１８ｃへ連通した排気風路２３ｂが形成される。
【００８３】
すなわち、ダンパ２１が図６に実線で示す全閉位置にあると、換気吹出口１８ｃへの風路が遮蔽され、循環・換気吸込口１１ｃから循環吹出口１１ｂへ連通した循環風路２３ａが形成される。このダンパ２１の全閉となる位置を循環位置と称す。
【００８４】
これに対して、ダンパ２１が図６に一点鎖線で示す全開位置にあると、循環吹出口１１ｂへの風路が遮蔽され、循環・換気吸込口１１ｃから換気吹出口１８ｃへ連通した排気風路２３ｂが形成される。このダンパ２１の全開となる位置を換気位置と称す。
【００８５】
更に、ダンパ２１が図６に二点鎖線で示す循環位置と換気位置の中間位置にあると、循環・換気吸込口１１ｃから循環吹出口１１ｂへ連通した循環風路２３ａと、循環・換気吸込口１１ｃから換気吹出口１８ｃへ連通した排気風路２３ｂの双方が形成される。このダンパ２１の中間位置を循環換気位置と称す。
【００８６】
＜第２の実施の形態の浴室空調装置の設置例＞
次に、図５等を参照して浴室空調装置１Ｂの設置例について説明する。浴室５１の天井パネル５２には、循環・換気ユニット２Ｂの循環・換気吸込グリル取付部１２ｃと循環吹出グリル取付部１２ｂの位置に合わせて、循環・換気吸込グリル取付開口部５３ｃと循環吹出グリル取付開口部５３ｂが開けられる。
【００８７】
循環・換気吸込グリル取付開口部５３ｃと循環吹出グリル取付開口部５３ｂは、一列に並んで配置され、循環・換気吸込グリル取付開口部５３ｃは、循環・換気吸込グリル４Ｂの形状に合わせて細長い形態の長方形で、循環吹出グリル取付開口部５３ｂは、循環吹出グリル５の形状に合わせて細長い形態の長方形である。
【００８８】
そして、循環・換気吸込グリル取付開口部５３ｃと循環吹出グリル取付開口部５３ｂは、それぞれ循環・換気ユニット２Ｂの下面のサイズより小さい開口である。
【００８９】
循環・換気ユニット２Ｂは、循環・換気吸込グリル取付部１２ｃが天井パネル５２の循環・換気吸込グリル取付開口部５３ｃに対向し、循環吹出グリル取付部１２ｂが天井パネル５２の循環吹出グリル取付開口部５３ｂに対向するように、例えば、天井パネル５２の上面に設置された図示しない枠体に固定される。
【００９０】
そして、循環・換気吸込グリル取付部１２ｃに循環・換気吸込グリル４Ｂが取り付けられ、循環吹出グリル取付部１２ｂに循環吹出グリル５が取り付けられる。これにより、循環・換気ユニット２Ｂは、浴室５１の天井パネル５２に形成された循環・換気吸込グリル取付開口部５３ｃから循環・換気吸込グリル４Ｂを浴室５１側へ露出させ、循環吹出グリル取付開口部５３ｂから循環吹出グリル５を浴室５１側へ露出させる形態で、浴室５１の天井パネル５２上に設置される。
【００９１】
よって、循環・換気ユニット２Ｂの循環・換気吸込グリル４Ｂ及び循環吹出グリル５は、浴室５１の天井パネル５２に一列に並んで配置される。また、循環・換気吸込グリル４Ｂと循環吹出グリル５は、それぞれ天井パネル５２に対して略同一面となるように取り付けられる。
【００９２】
なお、循環・換気ユニット２Ｂは、換気ダクト取付部２０に排気用ダクト５５が接続される。排気用ダクト５５は、浴室５１が設置される建物の屋外とつながり、循環・換気ユニット２Ｂで吸い込んだ浴室５１の空気を屋外へ排気可能な構成である。
【００９３】
＜第２の実施の形態の浴室空調装置の制御機能例＞
図７は第２の実施の形態の浴室空調装置１Ｂの制御系の一例を示す機能ブロック図である。浴室空調装置１Ｂは、ＣＰＵやメモリ等で構成される制御部３３に、循環・換気ユニット２Ｂの循環・換気ファンモータ７Ｂと、ヒータ１３と、ダンパモータ２２等が接続される。
【００９４】
制御部３３は、図示しないメモリ等に格納されたプログラムに従って、例えば暖房運転モード、換気運転モード、乾燥運転モード及び涼風運転モードを実行する。これら運転モードは、入浴者等の利用者が操作部３２を操作すること等により選択され、制御部３３は、選択された運転モードを実行するプログラムに従い循環・換気ファンモータ７Ｂ、ヒータ１３及びダンパモータ２２等を制御する。
【００９５】
＜第２の実施の形態の浴室空調装置の動作例＞
次に、第２の実施の形態の浴室空調装置１Ｂの動作を各図を参照して説明する。浴室空調装置１Ｂの制御部３３は、操作部３２における操作で暖房運転モードが選択されると、ダンパモータ２２を駆動して、ダンパ２１を循環位置にする。そして、循環・換気ファンモータ７Ｂを駆動してファン８を回転させると共に、ヒータ１３を駆動する。
【００９６】
ファン８が回転すると、循環・換気ファンケース９Ｂの循環・換気吸込口１１ｃから空気が吸い込まれる。これにより、循環・換気吸込グリル４Ｂから浴室５１内の空気が循環・換気ユニット２Ｂに吸い込まれる。
【００９７】
暖房運転モードでは、ダンパ２１が循環位置にあるので、循環・換気ファンケース９Ｂ内には循環風路２３ａが形成されている。これにより、循環・換気ユニット２Ｂに吸い込まれた空気は、循環・換気ファンケース９Ｂとダンパ２１により形成される循環風路２３ａを通って循環吹出グリル５から浴室５１内に吹き出される。
【００９８】
そして、ヒータ１３は循環吹出口１１ｂに配置されるので、ヒータ１３に通電されて加熱されると、循環吹出口１１ｂを通る空気が温められて循環吹出グリル５から吹き出す。
【００９９】
これにより、浴室５１内の空気を循環させながら浴室５１内を暖房して、温度を上げることができる。
【０１００】
浴室空調装置１Ｂの制御部３３は、操作部３２における操作で換気運転モードが選択されると、ダンパモータ２２を駆動して、ダンパ２１を換気位置にする。そして、循環・換気ファンモータ７Ｂを駆動してファン８を回転させる。
【０１０１】
ファン８が回転すると、循環・換気ファンケース９Ｂの循環・換気吸込口１１ｃから空気が吸い込まれる。これにより、循環・換気吸込グリル４Ｂから浴室５１内の空気が循環・換気ユニット２Ｂに吸い込まれる。
【０１０２】
換気運転モードでは、ダンパ２１が換気位置にあるので、循環・換気ファンケース９Ｂ内には換気風路２３ｂが形成されている。これにより、循環・換気ユニット２Ｂに吸い込まれた空気は、循環・換気ファンケース９Ｂとダンパ２１により形成される換気風路２３ｂを通って、換気吹出口１８ｃから排気用ダクト５５を介して屋外へ排出される。また、浴室５１内の空気が屋外に排出されることで、図示しない浴室ドア等に設けた空気取入口から、洗面所等の空気が吸い込まれる。
【０１０３】
これにより、浴室５１内の湯気や湿気を排出して結露等を抑制し、カビの発生を抑えることができる。
【０１０４】
浴室空調装置１Ｂの制御部３３は、操作部３２における操作で乾燥運転モードが選択されると、ダンパモータ２２を駆動して、ダンパ２１を循環換気位置にする。そして、循環・換気ファンモータ７Ｂを駆動してファン８を回転させると共に、ヒータ１３を駆動する。
【０１０５】
ファン８が回転すると、循環・換気ファンケース９Ｂの循環・換気吸込口１１ｃから空気が吸い込まれる。これにより、循環・換気吸込グリル４Ｂから浴室５１内の空気が循環・換気ユニット２Ｂに吸い込まれる。
【０１０６】
乾燥運転モードでは、ダンパ２１が循環換気位置にあるので、循環・換気ファンケース９Ｂ内には循環風路２３ａと換気風路２３ｂの双方が形成されている。これにより、循環・換気ユニット２Ｂに吸い込まれた空気の一部は、循環・換気ファンケース９Ｂとダンパ２１により形成される循環風路２３ａを通って循環吹出グリル５から浴室５１内に吹き出される。
【０１０７】
そして、ヒータ１３は循環吹出口１１ｂに配置されるので、ヒータ１３に通電されて加熱されると、循環吹出口１１ｂを通る空気が温められて循環吹出グリル５から吹き出す。
【０１０８】
また、循環・換気ユニット２Ｂに吸い込まれた空気の一部は、循環・換気ファンケース９Ｂとダンパ２１により形成される換気風路２３ｂを通って、換気吹出口１８ｃから排気用ダクト５５を介して屋外へ排出される。また、浴室５１内の空気が屋外に排出されることで、図示しない浴室ドア等に設けた空気取入口から、洗面所等の空気が吸い込まれる。
【０１０９】
これにより、浴室５１内に温風を吹き出して、図示しないランドリパイプに掛けられた洗濯物を乾燥させることができる。また、浴室５１内の空気の一部は屋外に排気されて換気が行われるので、湿気等を排出して、洗濯物の乾燥を促進することができる。
【０１１０】
浴室空調装置１Ｂの制御部３３は、操作部３２における操作で涼風運転モードが選択されると、ダンパモータ２２を駆動して、ダンパ２１を循環換気位置にする。そして、循環・換気ファンモータ７Ｂを駆動してファン８を回転させる。
【０１１１】
ファン８が回転すると、循環・換気ファンケース９Ｂの循環・換気吸込口１１ｃから空気が吸い込まれる。これにより、循環・換気吸込グリル４Ｂから浴室５１内の空気が循環・換気ユニット２Ｂに吸い込まれる。
【０１１２】
涼風運転モードでは、ダンパ２１が循環換気位置にあるので、循環・換気ファンケース９Ｂ内には循環風路２３ａと換気風路２３ｂの双方が形成されている。これにより、循環・換気ユニット２Ｂに吸い込まれた空気の一部は、循環・換気ファンケース９Ｂとダンパ２１により形成される循環風路２３ａを通って循環吹出グリル５から浴室５１内に吹き出される。そして、涼風運転モードでは、ヒータ１３に通電しないことで、浴室５１内の温度に応じた風が循環吹出グリル５から吹き出される。
【０１１３】
また、循環・換気ユニット２Ｂに吸い込まれた空気の一部は、循環・換気ファンケース９Ｂとダンパ２１により形成される換気風路２３ｂを通って、換気吹出口１８ｃから排気用ダクト５５を介して屋外へ排出される。また、浴室５１内の空気が屋外に排出されることで、図示しない浴室ドア等に設けた空気取入口から、洗面所等の空気が吸い込まれる。
【０１１４】
これにより、浴室５１内に涼風を吹き出して、扇風機として利用することができる。また、浴室５１内の空気の一部は屋外に排気されて換気が行われるので、湿気等を排出することができる。
【０１１５】
＜第２の実施の形態の浴室空調装置の効果＞
以上説明した第２の実施の形態の浴室空調装置１Ｂでは、ダンパ２１を備えて暖房と換気の風路を切り替えられる構成とすることで、単一の装置で暖房運転と換気運転が可能であり、浴室５１の天井パネル５２には、循環・換気吸込グリル４Ｂと、循環吹出グリル５が露出する形態である。
【０１１６】
これにより、第１の実施の形態の浴室空調装置１Ａで得られた効果に加えて、浴室５１の天井パネル５２に露出する部分の面積を更に小さくすることができるので、浴室５１の外観性をより一層損なうことなく、浴室空調装置１Ｂを設置することができる。
【０１１７】
なお、第２の実施の形態の浴室空調装置１Ｂでも、循環・換気吸込グリル４Ｂと循環吹出グリル５は独立した部材としたが、一体に構成しても良い。
【０１１８】
＜第３の実施の形態の浴室空調装置の構成例＞
図８は第３の実施の形態の浴室空調装置の一例を示す構成図で、図８（ａ）は、第３の実施の形態の浴室空調装置１Ｃを備えた浴室５１の天井パネル５２を下面から見た平面図である。また、図８（ｂ）は、浴室空調装置１Ｃを備えた浴室５１の天井部分を矢印Ｅ方向から見た側面図、図８（ｃ）は浴室５１の天井部分を矢印Ｆ方向から見た側面図である。
【０１１９】
第３の実施の形態の浴室空調装置１Ｃは、循環ユニット２Ｃと換気ユニット３Ｃを備える。浴室空調装置１Ｃは、循環ユニット２Ｃと換気ユニット３Ｃを上下に重ねた構成で、浴室５１の天井パネル５２の上面に設置される。
【０１２０】
循環ユニット２Ｃは循環部本体の一例で、浴室５１の空気を吸い込む循環吸込グリル４Ａと、浴室５１に空気を吹き出す循環吹出グリル５を、下面に並列して備える。循環吸込グリル４Ａと循環吹出グリル５は、循環吸込グリル４Ａと循環吹出グリル５の並ぶ方向に沿った横方向の長さが、縦方向の長さより長い細長い形態の長方形で、それぞれが独立した部材で構成される。
【０１２１】
循環吸込グリル４Ａと循環吹出グリル５のサイズは、それぞれ循環ユニット２Ｃの下面のサイズより小型に構成される。また、循環吸込グリル４Ａと循環吹出グリル５の縦方向（短手方向）の長さは同じ長さに構成される。そして、循環吸込グリル４Ａと循環吹出グリル５は、横方向（長手方向）に一列に並ぶ配置となるように構成される。
【０１２２】
換気ユニット３Ｃは換気部本体の一例で、浴室５１の空気を吸い込む換気吸込グリル６Ｂが換気吸込ダクト２４を介して接続される。換気吸込グリル６Ｂは換気吸込口の一例で、横方向の長さが、縦方向の長さより長い細長い形態の長方形で、換気吸込グリル６Ｂの縦方向（短手方向）の長さは、循環吸込グリル４Ａ及び循環吹出グリル５の短手方向の長さと同じに構成される。
【０１２３】
浴室空調装置１Ｃは、浴室５１の天井パネル５２に形成された循環吸込グリル取付開口部５３ａから、循環吸込グリル４Ａを浴室５１側へ露出させ、循環吹出グリル取付開口部５３ｂから、循環吹出グリル５を浴室５１側へ露出させ、換気吸込グリル取付開口部５４ｂから、換気吸込グリル６Ｂを浴室５１側へ露出させる形態で、浴室５１の天井パネル５２上に設置される。
【０１２４】
＜循環ユニット及び換気ユニットの構成例＞
図９は浴室空調装置１Ｃの内部構成の一例を示す断面図で、次に、第３の実施の形態の浴室空調装置１Ｃにおける循環ユニット２Ｃ及び換気ユニット３Ｃの構成の詳細について説明する。なお、図９（ａ）における切断面は、循環吸込グリル４Ａと循環吹出グリル５の並び方向に沿った面であり、図９（ｂ）における切断面は、循環吹出グリル５の短手方向に沿った面である。
【０１２５】
循環ユニット２Ｃは、循環ファンモータ７Ａにより回転駆動され、空気を吸い込んで吹き出すファン８と、回転駆動されるファン８により吸い込まれて吹き出す空気の風路を形成する循環ファンケース９Ａを備える。
【０１２６】
循環ファンモータ７Ａは、多翼の羽根車で構成されるファン８の回転軸が垂直方向となる向きで、循環ファンケース９Ａに取り付けられる。
【０１２７】
循環ファンケース９Ａは、浴室空調装置１Ｃの外形を構成する本体ケース１０Ｃに取り付けられ、ファン８の軸方向に沿った下面を開口して循環吸込口１１ａが形成されると共に、ファン８の接線方向に沿った空気の吹出風路と連通した下面を開口して循環吹出口１１ｂが形成される。
【０１２８】
そして、循環ファンケース９Ａは、循環吸込口１１ａの下部に、循環吸込口１１ａと連通し、循環吸込グリル４Ａが取り付けられる循環吸込グリル取付部１２ａを備える。
【０１２９】
また、循環ファンケース９Ａは、循環吹出口１１ｂの下部に、循環吹出口１１ｂと連通し、循環吹出グリル５が取り付けられる循環吹出グリル取付部１２ｂを備える。
【０１３０】
循環吸込グリル取付部１２ａと循環吹出グリル取付部１２ｂは、循環吸込グリル４Ａと循環吹出グリル５が一列に並んで取り付けられるように、設置位置等が設定されている。
【０１３１】
循環ユニット２Ａは、循環ファンケース９Ａの循環吹出口１１ｂにヒータ１３を備える。ヒータ１３は例えばＰＴＣヒータ等で構成され、ヒータ１３に通電されてヒータ１３が加熱されると、循環吹出口１１ｂを通る空気が加熱され、温風が吹き出すようになっている。
【０１３２】
換気ユニット３Ｃは、循環ユニット２Ｃの上側に重ねて配置される。換気ユニット３Ｃは、換気ファンモータ１４により回転駆動され、空気を吸い込んで吹き出すファン１５と、回転駆動されるファン１５により吸い込まれて吹き出す空気の風路を形成する換気ファンケース１６Ｂを備える。
【０１３３】
換気ファンモータ１４は、多翼の羽根車で構成されるファン１５の回転軸が垂直方向となる向きで、換気ファンケース１６Ｂに取り付けられる。
【０１３４】
換気ファンケース１６Ｂは、浴室空調装置１Ｃの本体ケース１０Ｃに取り付けられ、ファン１５の軸方向に沿った下面を開口して換気吸込口１８ａが形成されると共に、ファン１５の接線方向に沿った空気の吹出風路と連通して換気吹出口１８ｂが形成される。
【０１３５】
本体ケース１０Ｃは、換気ファンケース１６Ｂの換気吹出口１８ｂと対向した一の側面に、換気吹出口１８ｂと連通した換気ダクト取付部２０を備える。また、本体ケース１０Ｃは、換気ファンケース６Ｂの換気吸込口１８ａと連通した換気吸込ダクト取付部２５を他の側面に備える。
【０１３６】
換気吸込ダクト取付部２５には、図８に示すように換気吸込ダクト２４の一端側が接続され、換気吸込ダクト２４の他端側には、換気吸込グリル６Ｂが取り付けられる換気吸込グリル取付部２６を備える。
【０１３７】
換気吸込グリル取付部２６は、換気吸込グリル６Ｂが循環吸込グリル４Ａ及び循環吹出グリル５と一列に並んで取り付けられるように、設置位置等が設定されている。
【０１３８】
＜第３の実施の形態の浴室空調装置の設置例＞
次に、図８等を参照して浴室空調装置１Ｃの設置例について説明する。浴室５１の天井パネル５２には、循環吸込グリル取付部１２ａと循環吹出グリル取付部１２ｂと換気吸込グリル取付部２６の位置に合わせて、循環吸込グリル取付開口部５３ａと循環吹出グリル取付開口部５３ｂと換気吸込グリル取付開口部５４ｂが開けられる。
【０１３９】
循環吸込グリル取付開口部５３ａと循環吹出グリル取付開口部５３ｂ及び換気吸込グリル取付開口部５４ｂは、一列に並んで配置される。循環吸込グリル取付開口部５３ａは、循環吸込グリル４Ａの形状に合わせて細長い形態の長方形で、循環吹出グリル取付開口部５３ｂは、循環吹出グリル５の形状に合わせて細長い形態の長方形で、換気吸込グリル取付開口部５４ｂは、換気吸込グリル６Ｂの形状に合わせて細長い形態の長方形である。
【０１４０】
ここで、浴室空調装置１Ｃの下部に位置する循環吸込グリル取付開口部５３ａと循環吹出グリル取付開口部５３ｂは、それぞれ浴室空調装置１Ｃの下面のサイズより小さい開口である。
【０１４１】
浴室空調装置１Ｃは、循環ユニット２Ｃの下面に備えられる循環吸込グリル取付部１２ａが天井パネル５２の循環吸込グリル取付開口部５３ａに対向し、循環吹出グリル取付部１２ｂが循環吹出グリル取付開口部５３ｂに対向し、更に、換気ユニット３Ｃと換気吸込ダクト２４を介して接続された換気吸込グリル取付部２６が換気吸込グリル取付開口部５４ｂと対向するように、例えば、天井パネル５２の上面に設置された図示しない枠体に固定される。
【０１４２】
そして、循環吸込グリル取付部１２ａに循環吸込グリル４Ａが取り付けられ、循環吹出グリル取付部１２ｂに循環吹出グリル５が取り付けられ、換気吸込グリル取付部２６に換気吸込グリル６Ｂが取り付けられる。
【０１４３】
これにより、浴室空調装置１Ｃは、浴室５１の天井パネル５２に形成された循環吸込グリル取付開口部５３ａから循環吸込グリル４Ａを浴室５１側へ露出させ、循環吹出グリル取付開口部５３ｂから循環吹出グリル５を浴室５１側へ露出させ、換気吸込グリル取付開口部５４ｂから換気吸込グリル６Ｂを浴室５１側へ露出させる形態で、浴室５１の天井パネル５２上に設置される。
【０１４４】
よって、浴室空調装置１Ｃにおいて、循環ユニット２Ｃの下面に備えられた循環吸込グリル４Ａ及び循環吹出グリル５と、換気ユニット３Ｃと換気吸込ダクト２４を介して接続された換気吸込グリル６Ｂは、浴室５１の天井パネル５２に一列に並んで配置される。
【０１４５】
また、循環吸込グリル４Ａ、循環吹出グリル５及び換気吸込グリル６Ｂは、それぞれ天井パネル５２に対して略同一面となるように取り付けられる。
【０１４６】
なお、浴室空調装置１Ｃの換気ユニット３Ｃは、換気ダクト取付部２０に排気用ダクト５５が接続される。排気用ダクト５５は、浴室５１が設置される建物の屋外とつながり、換気ユニット３Ｃで吸い込んだ浴室５１の空気を屋外へ排気可能な構成である。
【０１４７】
＜第３の実施の形態の浴室空調装置の動作例＞
次に、第３の実施の形態の浴室空調装置１Ｃの動作を各図を参照して説明する。ここで、第３の実施の形態の浴室空調装置１Ｃの制御系の構成は、図４で説明した第１の実施の形態の浴室空調装置１Ａと同等な構成とする。
【０１４８】
浴室空調装置１Ｃの制御部３１は、操作部３２における操作で暖房運転モードが選択されると、換気ユニット３Ｃは停止させた状態で、循環ユニット２Ｃを駆動制御する。
【０１４９】
すなわち、循環ファンモータ７Ａを駆動してファン８を回転させると共に、ヒータ１３を駆動する。ファン８が回転すると、循環ファンケース９Ａの循環吸込口１１ａから空気が吸い込まれる。これにより、循環吸込グリル４Ａから浴室５１内の空気が循環ユニット２Ｃに吸い込まれる。
【０１５０】
循環ユニット２Ｃに吸い込まれた空気は、循環ファンケース９Ａにより形成される吹出風路を通って循環吹出グリル５から浴室５１内に吹き出される。そして、ヒータ１３は循環吹出口１１ｂに配置されるので、ヒータ１３に通電されて加熱されると、循環吹出口１１ｂを通る空気が温められて循環吹出グリル５から吹き出す。
【０１５１】
これにより、浴室５１内の空気を循環させながら浴室５１内を暖房して、温度を上げることができる。
【０１５２】
浴室空調装置１Ｃの制御部３１は、操作部３２における操作で換気運転モードが選択されると、循環ユニット２Ｃは停止させた状態で、換気ユニット３Ｃを駆動制御する。
【０１５３】
すなわち、換気ファンモータ１４を駆動してファン１５を回転させる。ファン１５が回転すると、換気ファンケース１６Ｂの換気吸込口１８ａから空気が吸い込まれる。これにより、換気吸込ダクト２４を介して換気吸込グリル６Ｂから浴室５１内の空気が換気ユニット３Ｃに吸い込まれる。
【０１５４】
換気ユニット３Ｃに吸い込まれた空気は、換気吹出口１８ｂを通って排気用ダクト５５から屋外へ排出される。また、浴室５１内の空気が屋外に排出されることで、図示しない浴室ドア等に設けた空気取入口から、洗面所等の空気が吸い込まれる。
【０１５５】
これにより、浴室５１内の湯気や湿気を排出して結露等を抑制し、カビの発生を抑えることができる。
【０１５６】
浴室空調装置１Ｃの制御部３１は、操作部３２における操作で乾燥運転モードが選択されると、循環ユニット２Ｃ及び換気ユニット３Ｃを駆動制御する。すなわち、循環ユニット２Ｃでは、循環ファンモータ７Ａを駆動してファン８を回転させると共に、ヒータ１３を駆動する。
【０１５７】
ファン８が回転すると、上述したように、循環吸込グリル４Ａから浴室５１内の空気が吸い込まれ、循環ユニット２Ｃに吸い込まれた空気は、循環吹出グリル５から浴室５１内に吹き出される。そして、ヒータ１３が通電されて加熱されると、循環吹出口１１ｂを通る空気が温められて循環吹出グリル５から吹き出す。
【０１５８】
換気ユニット３Ｃでは、換気ファンモータ１４を駆動してファン１５を回転させる。ファン１５が回転すると、上述したように、換気吸込ダクト２４を介して換気吸込グリル６Ｂから浴室５１内の空気が吸い込まれ、換気ユニット３Ｃに吸い込まれた空気は、排気用ダクト５５から屋外へ排出される。また、浴室５１内の空気が屋外に排出されることで、図示しない浴室ドア等に設けた空気取入口から、洗面所等の空気が吸い込まれる。
【０１５９】
これにより、浴室５１内に温風を吹き出して、図示しないランドリパイプに掛けられた洗濯物を乾燥させることができる。また、浴室５１内の空気の一部は屋外に排気されて換気が行われるので、湿気等を排出して、洗濯物の乾燥を促進することができる。
【０１６０】
浴室空調装置１Ｃの制御部３１は、操作部３２における操作で涼風運転モードが選択されると、循環ユニット２Ｃ及び換気ユニット３Ｃを駆動制御する。すなわち、循環ユニット２Ｃでは、循環ファンモータ７Ａを駆動してファン８を回転させる。
【０１６１】
ファン８が回転すると、上述したように、循環吸込グリル４Ａから浴室５１内の空気が吸い込まれ、循環ユニット２Ｃに吸い込まれた空気は、循環吹出グリル５から浴室５１内に吹き出される。涼風運転モードでは、ヒータ１３に通電しないことで、浴室５１内の温度に応じた風が循環吹出グリル５から吹き出される。
【０１６２】
換気ユニット３Ｃでは、換気ファンモータ１４を駆動してファン１５を回転させる。ファン１５が回転すると、上述したように、換気吸込ダクト２４を介して換気吸込グリル６Ｂから浴室５１内の空気が吸い込まれ、換気ユニット３Ｃに吸い込まれた空気は、排気用ダクト５５から屋外へ排出される。また、浴室５１内の空気が屋外に排出されることで、図示しない浴室ドア等に設けた空気取入口から、洗面所等の空気が吸い込まれる。
【０１６３】
これにより、浴室５１内に涼風を吹き出して、扇風機として利用することができる。また、浴室５１内の空気の一部は屋外に排気されて換気が行われるので、湿気等を排出することができる。
【０１６４】
＜第３の実施の形態の浴室空調装置の効果＞
以上説明した第３の実施の形態の浴室空調装置１Ｃでは、循環ユニット２Ｃと換気ユニット３Ｃを重ねて配置し、換気吸込グリル６Ｂを換気吸込ダクト２４を介して接続したので、第１の実施の形態の浴室空調装置１Ａで得られた効果に加えて、換気吸込グリル６Ｂの設置位置の自由度を向上させることができる。
【０１６５】
なお、第３の実施の形態の浴室空調装置１Ｃでも、循環吸込グリル４Ａと循環吹出グリル５は独立した部材としたが、一体に構成しても良い。更に、換気吸込グリル６Ｂも一体に構成しても良い。
【０１６６】
また、第３の実施の形態の浴室空調装置１Ｃでは、循環ユニット２Ｃと換気ユニット３Ｃを単一のケースに収めて一体的に設置できる構成としても良いし、独立したユニットをそれぞれ設置する構成としても良い。
【０１６７】
＜各実施の形態の浴室空調装置の変形例＞
なお、各実施の形態の浴室空調装置が設置される浴室とは、浴槽の無いシャワー装置のみの室内も含むものである。また、本発明の空調装置は、浴室の空調装置だけではなく、脱衣所、洗面所、トイレ等のサニタリー空間（室）の空調装置であっても良く、更に、単一の室内に限らず、複数の室内の空調を行うものであっても良い。
【産業上の利用可能性】
【０１６８】
本発明は、浴室換気乾燥暖房機等と称され、浴室内の暖房及び換気、洗濯物の乾燥等の機能を有する浴室用の空調装置に適用される。
【図面の簡単な説明】
【０１６９】
【図１】第１の実施の形態の浴室空調装置の一例を示す構成図である。
【図２】循環ユニットの一例を示す構成図である。
【図３】換気ユニットの一例を示す構成図である。
【図４】第１の実施の形態の浴室空調装置の制御系の一例を示す機能ブロック図である。
【図５】第２の実施の形態の浴室空調装置の一例を示す構成図である。
【図６】循環・換気ユニットの一例を示す構成図である。
【図７】第２の実施の形態の浴室空調装置の制御系の一例を示す機能ブロック図である。
【図８】第３の実施の形態の浴室空調装置の一例を示す構成図である。
【図９】循環ユニット及び換気ユニットの一例を示す構成図である。
【符号の説明】
【０１７０】
１Ａ，１Ｂ，１Ｃ・・・浴室空調装置、２Ａ，２Ｃ・・・循環ユニット、２Ｂ・・・循環・換気ユニット、３Ａ，３Ｃ・・・換気ユニット、４Ａ，４Ｂ・・・循環吸込グリル、５・・・循環吹出グリル、６Ａ，６Ｂ・・・換気吸込グリル、７Ａ・・・循環ファンモータ、７Ｂ・・・循環・換気ファンモータ、８・・・ファン、９Ａ・・・循環ファンケース、９Ｂ・・・循環・換気ファンケース、１０Ａ，１０Ｂ・・・本体ケース、１１ａ・・・循環吸込口、１１ｂ・・・循環吹出口、１１ｃ・・・循環・換気吸込口、１２ａ・・・循環吸込グリル取付部、１２ｂ・・・循環吹出グリル取付部、１２ｃ・・・循環・換気グリル取付部、１３・・・ヒータ、１４・・・換気ファンモータ、１５・・・ファン、１６Ａ，１６Ｂ・・換気ファンケース、１７・・・本体ケース、１８ａ・・・換気吸込口、１８ｂ，１８ｃ・・・換気吹出口、１９・・・換気吸込グリル取付部、２０・・・換気ダクト取付部、２１・・・ダンパ、２２・・・ダンパモータ、２３ａ・・・循環風路、２３ｂ・・・換気風路、２４・・・換気吸込ダクト、２５・・・換気吸込ダクト取付部、２６・・・換気吸込グリル取付部、３１・・・制御部、３２・・・操作部、３３・・・制御部、５１・・・浴室、５２・・・天井パネル、５３ａ・・・循環吸込グリル取付開口部、５３ｂ・・・循環吹出グリル取付開口部、５３ｃ・・・循環・換気グリル取付開口部、５４ａ，５４ｂ・・・換気吸込グリル取付開口部、５５・・・排気用ダクト
【図１】
0004720333.tif 000002
【図２】
0004720333.tif 000003
【図３】
0004720333.tif 000004
【図４】
0004720333.tif 000005
【図５】
0004720333.tif 000006
【図６】
0004720333.tif 000007
【図７】
0004720333.tif 000008
【図８】
0004720333.tif 000009
【図９】
0004720333.tif 000010